(57)【要約】【課題】スイベル回転機構を有する液晶表示装置において、テレビジョン本体部等の本体部をスムーズにスイベル回転させることを課題とする。【解決手段】底面板状部材（板状部材）４０を、金属板にねじを貫通させるための貫通穴４２ａとともに当該貫通穴の周囲にプレス加工（塑性加工）時の材料を逃がすための逃がし穴４４を形成した後に当該貫通穴に対してプレス加工により座ぐり４２ａを形成した座ぐり穴４２および逃がし穴４４を有する部材とした。貫通穴４２ａの周囲に複数の逃がし穴を形成すると、なおよい。【選択図】図１６
0003106184.tif 000002
【実用新案登録請求の範囲】
【請求項１】
スタンドと、樹脂製のキャビネットを有して所定の液晶表示面にて映像を表示するとともに同スタンドに対して鉛直方向を回転軸として回転動可能に支持されたテレビジョン本体部とを具備し、
上記スタンドは、
金属板にねじを貫通させるための貫通穴を押し抜いて形成した後に当該貫通穴に対して塑性変形を伴うプレス加工により底面側の面に座ぐりを形成した座ぐり穴を複数有し、本スタンドの底面に配置される金属製の底面板状部材と、
下面にて上記各座ぐり穴の位置に合わせてねじ止めするために形成された複数の第一のねじ止め穴を有し、当該各第一のねじ止め穴の位置を上記各座ぐり穴の位置に合わせてねじにより上記底面板状部材に固定可能な樹脂製の上部カバーと、
上記各座ぐり穴の位置に合わせてねじ止めするために貫通して形成された複数の第二のねじ止め穴を有し、環状とされるとともに当該各第二のねじ止め穴の位置を上記各座ぐり穴および上記各第一のねじ止め穴の位置に合わせてねじにより上記底面板状部材と上記上部カバーとの間に挟まれて上記回転軸を中心として水平に固定される樹脂製のガイド部材と、
このガイド部材に対して当該ガイド部材に沿って回転動可能に支持されて上記テレビジョン本体部を支持する金属製の本体支持部材とを備える液晶テレビジョンにおいて、
上記座ぐり穴と上記第一および第二のねじ止め穴との組み合わせの各位置は、上記環状のガイド部材の中心を対称の中心として点対称となる位置にも当該組み合わせのいずれかが存在するようにされ、
上記環状のガイド部材は、径方向内側の内側面よりも径方向外側かつ径方向外側の外側面よりも径方向内側の位置で全周にわたって上面から上方に延出した上方延出部が形成され、当該内側面よりも径方向外側かつ当該外側面よりも径方向内側の位置で全周にわたって下面から下方に延出した下方延出部が形成され、径方向において本ガイド部材の内側面と同上方延出部の内側面との間で全周にわたって断続的に上面から上方に延出した上側接触部が形成され、径方向において本ガイド部材の内側面と同下方延出部の内側面との間で全周にわたって下面から下方に延出した下側接触部が形成されるとともに、同上方延出部の径方向外側の外側面よりも径方向外側かつ同下方延出部の径方向外側の外側面よりも径方向外側に上記複数の第二のねじ止め穴が形成され、
上記本体支持部材は、上記環状のガイド部材の内側面よりも径方向外側かつ上記上方延出部の径方向内側の内側面よりも径方向内側の外径とされて下面にて上記上側接触部の上端に接する金属製の上側円板部材と、この上側円板部材の下面に対して上記環状のガイド部材の内側面よりも径方向内側の上面を固定されているとともに上記環状のガイド部材の内側面よりも径方向外側かつ上記下方延出部の径方向内側の内側面よりも径方向内側の外径とされて径方向において少なくとも上記ガイド部材の内側面と上記下方延出部の内側面との間において同ガイド部材の下側に配置されて上記下側接触部の下端に接触可能な金属製の下側円板部材と、同上側円板部材の上面に固定されて上記テレビジョン本体部を支持する金属製の支持部材とを有し、同上側円板部材と同下側円板部材とで同ガイド部材における同上方延出部の内側面よりも径方向内側と同下方延出部の内側面よりも径方向内側の部分を挟み込んで同ガイド部材に対して当該ガイド部材に沿って回転動可能に支持されて上記支持部材にて上記テレビジョン本体部を支持し、
上記底面板状部材は、上記金属板に上記ねじを貫通させるための複数の貫通穴とともに当該各貫通穴の周囲にプレス加工時の材料を逃がすための複数の逃がし穴を押し抜いて形成した後に当該各貫通穴に対してプレス加工により上記底面側の面に座ぐりを形成することにより周囲に材料が盛り上がらないようにした座ぐり穴および複数の逃がし穴の組み合わせを当該各貫通穴毎に有する部材とされていることを特徴とする液晶テレビジョン。
【請求項２】
スタンドと、キャビネットを有して所定の液晶表示面にて映像を表示するとともに同スタンドに対して当該スタンドに向かう方向を回転軸として回転動可能に支持された本体部とを具備し、
上記スタンドは、
金属板にねじを貫通させるための貫通穴を形成した後に当該貫通穴に対して塑性加工により座ぐりを形成した座ぐり穴を有する金属製の板状部材と、
上記座ぐり穴の位置に合わせてねじ止めするために形成されたねじ止め穴を有し、環状とされるとともに当該ねじ止め穴の位置を上記座ぐり穴の位置に合わせてねじにより上記板状部材に対して上記回転軸を中心として固定されるガイド部材と、
このガイド部材に対して当該ガイド部材に沿って回転動可能に支持されて上記本体部を支持する本体支持部材とを備える液晶表示装置において、
上記板状部材は、上記金属板に上記ねじを貫通させるための貫通穴とともに当該貫通穴の周囲に塑性加工時の材料を逃がすための逃がし穴を形成した後に当該貫通穴に対して塑性加工により座ぐりを形成した座ぐり穴および逃がし穴を有する部材とされていることを特徴とする液晶表示装置。
【請求項３】
スタンドと、キャビネットを有して所定の液晶表示面にて映像を表示するとともに同スタンドに対して当該スタンドに向かう方向を回転軸として回転動可能に支持された本体部とを具備し、
上記スタンドは、
金属板にねじを貫通させるための貫通穴を押し抜いて形成した後に当該貫通穴に対して塑性変形を伴うプレス加工により片面に座ぐりを形成した座ぐり穴を複数有する金属製の板状部材と、
この板状部材における上記座ぐりが形成された面とは反対の面に対向する対向面にて上記各座ぐり穴の位置に合わせてねじ止めするために形成された複数の第一のねじ止め穴を有し、当該各第一のねじ止め穴の位置を上記各座ぐり穴の位置に合わせてねじにより上記板状部材に固定可能な対向部材と、
上記各座ぐり穴の位置に合わせてねじ止めするために貫通して形成された複数の第二のねじ止め穴を有し、環状とされるとともに当該各第二のねじ止め穴の位置を上記各座ぐり穴および上記各第一のねじ止め穴の位置に合わせてねじにより上記板状部材と上記対向部材との間に挟まれて上記回転軸を中心として固定されるガイド部材と、
このガイド部材に対して当該ガイド部材に沿って回転動可能に支持されて上記本体部を支持する本体支持部材とを備える液晶表示装置において、
上記座ぐり穴と上記第一および第二のねじ止め穴との組み合わせの各位置は、上記環状のガイド部材の中心を対称の中心として点対称となる位置にも当該組み合わせのいずれかが存在するようにされ、
上記板状部材は、上記金属板に上記ねじを貫通させるための複数の貫通穴とともに当該各貫通穴の周囲にプレス加工時の材料を逃がすための複数の逃がし穴を押し抜いて形成した後に当該各貫通穴に対してプレス加工により上記片面に座ぐりを形成した座ぐり穴および複数の逃がし穴の組み合わせを当該各貫通穴毎に有する部材とされていることを特徴とする液晶表示装置。
【請求項４】
上記対向部材は、上記環状のガイド部材の径方向外側に上記対向面にてねじ止めするために形成された複数の第三のねじ止め穴を有し、
上記板状部材は、さらに、上記各第三のねじ止め穴の位置に合わせて上記金属板にねじを貫通させるための複数の貫通穴とともに当該各貫通穴の周囲にプレス加工時の材料を逃がすための複数の逃がし穴を押し抜いて形成した後に当該各貫通穴に対してプレス加工により上記片面に座ぐりを形成した座ぐり穴および複数の逃がし穴の組み合わせを当該各貫通穴毎に有する部材とされていることを特徴とする請求項３に記載の液晶表示装置。
【請求項５】
上記環状のガイド部材は、樹脂製とされ、水平に配置されて上記回転軸を鉛直方向の向きにさせており、径方向内側の内側面よりも径方向外側かつ径方向外側の外側面よりも径方向内側の位置で全周にわたって上面から上方に延出した上方延出部が形成され、当該内側面よりも径方向外側かつ当該外側面よりも径方向内側の位置で全周にわたって下面から下方に延出した下方延出部が形成されるとともに、同上方延出部の径方向外側の外側面よりも径方向外側かつ同下方延出部の径方向外側の外側面よりも径方向外側に上記複数の第二のねじ止め穴が形成され、
上記本体支持部材は、上記環状のガイド部材の内側面よりも径方向外側かつ上記上方延出部の径方向内側の内側面よりも径方向内側の外径とされて同上方延出部の内側面よりも径方向内側において同ガイド部材の上面の少なくとも一部に接する金属製の上側円板部と、この上側円板部に固定されているとともに上記環状のガイド部材の内側面よりも径方向外側かつ上記下方延出部の径方向内側の内側面よりも径方向内側の外径とされて径方向において少なくとも同ガイド部材の内側面と同下方延出部の内側面との間において同ガイド部材の下側に配置される金属製の下側円板部と、同上側円板部の上面に固定されて上記本体部を支持する金属製の支持部とを有し、同上側円板部と同下側円板部とで同ガイド部材における同上方延出部の内側面よりも径方向内側と同下方延出部の内側面よりも径方向内側の部分を挟み込んで同ガイド部材に対して当該ガイド部材に沿って回転動可能に支持されて上記支持部にて上記本体部を支持することを特徴とする請求項３または請求項４に記載の液晶表示装置。
【請求項６】
上記環状のガイド部材には、径方向において本ガイド部材の内側面と上記上方延出部の内側面との間で全周にわたって断続的に上面から上方に延出して上端にて上記上側円板部の下面に接する上側接触部が形成されていることを特徴とする請求項５に記載の液晶表示装置。
【請求項７】
上記環状のガイド部材には、径方向において本ガイド部材の内側面と上記下方延出部の内側面との間で全周にわたって下面から下方に延出して下端にて上記下側円板部の下面に接する下側接触部が形成されていることを特徴とする請求項５または請求項６に記載の液晶表示装置。
【請求項８】
上記下側円板部には、本下側円板部の外周に接する位置から上方に向かって突出した第一および第二の上方突出部が所定の第一の回転角度をおいて形成され、
上記環状のガイド部材には、上記下方延出部から径方向内側に向かって下面から下方に延出した第一および第二のリブが上記第一の回転角度よりも大きい第二の回転角度をおいて形成され、
上記本体支持部材は、上記第一および第二の上方突出部が上記第一および第二のリブの間に挿入されて上記環状のガイド部材に対して回転動可能に支持されることを特徴とする請求項５〜請求項７のいずれかに記載の液晶表示装置。
【請求項９】
上記逃がし穴は、上記各貫通穴の周部から当該貫通穴の直径の１／５〜１倍の距離をおいて複数形成されていることを特徴とする請求項３〜請求項８のいずれかに記載の液晶表示装置。
【請求項１０】
上記各貫通穴毎に当該貫通穴の周囲に形成する複数の逃がし穴は、上記貫通穴の直径の１／４〜３／４倍の径とされていることを特徴とする請求項９に記載の液晶表示装置。
【請求項１１】
上記各貫通穴毎に当該貫通穴の周囲に形成する複数の逃がし穴について隣り合う逃がし穴間の少なくとも一部は、当該貫通穴の直径の１／５〜１倍の距離をおいて形成されていることを特徴とする請求項１０に記載の液晶表示装置。
【考案の詳細な説明】
【技術分野】
【０００１】
本考案は、スタンドと、所定の液晶表示面にて映像を表示するとともに同スタンドに対して当該スタンドに向かう方向を回転軸として回転動可能に支持された本体部と、を備える液晶テレビジョンおよび液晶表示装置に関する。
【背景技術】
【０００２】
従来、スタンドと、樹脂製のキャビネットを有して所定の液晶表示面にて映像を表示するとともに同スタンドに対して鉛直方向を回転軸として回転動可能に支持されたテレビジョン本体部とを具備する液晶テレビジョンが知られている。ここで、スタンドは、複数の座ぐり穴を有してスタンドの底面に配置される金属製の底面板状部材と、下面にて各座ぐり穴の位置に合わせてねじ止めするために形成された複数の第一のねじ止め穴を有する樹脂製の上部カバーと、各座ぐり穴の位置に合わせてねじ止めするために貫通して形成された複数の第二のねじ止め穴を有する樹脂製のガイド部材と、このガイド部材に対して当該ガイド部材に沿って回転動可能に支持されてテレビジョン本体部を支持する金属製の本体支持部材とを備えている。
上記上部カバーは、各第一のねじ止め穴の位置を各座ぐり穴の位置に合わせてねじにより底面板状部材に固定可能とされている。上記ガイド部材は、環状とされ、各第二のねじ止め穴の位置を各座ぐり穴および各第一のねじ止め穴の位置に合わせてねじにより底面板状部材と上部カバーとの間に挟まれて上記鉛直方向の回転軸を中心として水平に固定されるようになっている。
以上の構成により、テレビジョン本体部は本体支持部材に支持されて鉛直方向を回転軸としてスイベル回転可能とされている。
【０００３】
ここで、底面板状部材にテーパ状の座ぐり穴を形成する際、金属板にねじを貫通させるための貫通穴を押し抜いて形成した後に、当該貫通穴に対して塑性変形を伴うプレス加工により底面側の面に座ぐりを形成している。
また、下孔をプレス加工（前加工）で押し抜いた後に座ぐりをプレス加工（後加工）により形成する技術として、特許文献１記載の技術が知られている。同文献では、金属製の板状部材の下孔外周に放射状のスリットを形成して、座ぐりを形成する後加工時に塑性変形する材料を下孔に繋がるスリットに逃がすようにしている。
【特許文献１】特開昭６３−３６９３２号公報
【特許文献２】特開平６−５９０５号公報
【考案の開示】
【考案が解決しようとする課題】
【０００４】
前者の技術においては、図に示すように、金属板１にポンチとダイス等で貫通穴２を押し抜いて形成した後に、当該貫通穴２に対してポンチ３とダイス４を用いてプレス加工により座ぐり５を形成すると、貫通穴２の周囲に盛り上がりが生じることがあった。すると、ガイド部材を底面板状部材にねじ止めする際にこの盛り上がりによってガイド部材に歪みが生じ、ガイド部材に沿って回転動する本体支持部材に支持されたテレビジョン本体部をスイベル回転させようとしたときに本体支持部材とガイド部材との間で比較的大きい摩擦力が生じて、テレビジョン本体部がスムーズにスイベル回転しないことがあった。
後者の技術においては、下孔がスリットと繋がっているため、下孔の形状にばらつきが生じ、ガイド部材を底面板状部材にねじ止めする際にねじ止め位置のばらつきによってガイド部材が歪み、テレビジョン本体部がスムーズにスイベル回転しないことがあった。
また、特許文献２記載の技術は、下孔をプレス加工により塞ぐ技術であるため、上述した課題を解決することはできない。
【０００５】
本考案は、上記課題にかんがみてなされたもので、スイベル回転機構を有する液晶表示装置において、テレビジョン本体部等の本体部をスムーズにスイベル回転させることを目的とする。
【課題を解決するための手段】
【０００６】
上記目的を達成するため、本考案は、スタンドと、樹脂製のキャビネットを有して所定の液晶表示面にて映像を表示するとともに同スタンドに対して鉛直方向を回転軸として回転動可能に支持されたテレビジョン本体部とを具備し、上記スタンドは、金属板にねじを貫通させるための貫通穴を押し抜いて形成した後に当該貫通穴に対して塑性変形を伴うプレス加工により底面側の面に座ぐりを形成した座ぐり穴を複数有し、本スタンドの底面に配置される金属製の底面板状部材と、下面にて上記各座ぐり穴の位置に合わせてねじ止めするために形成された複数の第一のねじ止め穴を有し、当該各第一のねじ止め穴の位置を上記各座ぐり穴の位置に合わせてねじにより上記底面板状部材に固定可能な樹脂製の上部カバーと、上記各座ぐり穴の位置に合わせてねじ止めするために貫通して形成された複数の第二のねじ止め穴を有し、環状とされるとともに当該各第二のねじ止め穴の位置を上記各座ぐり穴および上記各第一のねじ止め穴の位置に合わせてねじにより上記底面板状部材と上記上部カバーとの間に挟まれて上記回転軸を中心として水平に固定される樹脂製のガイド部材と、このガイド部材に対して当該ガイド部材に沿って回転動可能に支持されて上記テレビジョン本体部を支持する金属製の本体支持部材とを備える液晶テレビジョンにおいて、上記座ぐり穴と上記第一および第二のねじ止め穴との組み合わせの各位置は、上記環状のガイド部材の中心を対称の中心として点対称となる位置にも当該組み合わせのいずれかが存在するようにされ、上記環状のガイド部材は、径方向内側の内側面よりも径方向外側かつ径方向外側の外側面よりも径方向内側の位置で全周にわたって上面から上方に延出した上方延出部が形成され、当該内側面よりも径方向外側かつ当該外側面よりも径方向内側の位置で全周にわたって下面から下方に延出した下方延出部が形成され、径方向において本ガイド部材の内側面と同上方延出部の内側面との間で全周にわたって断続的に上面から上方に延出した上側接触部が形成され、径方向において本ガイド部材の内側面と同下方延出部の内側面との間で全周にわたって下面から下方に延出した下側接触部が形成されるとともに、同上方延出部の径方向外側の外側面よりも径方向外側かつ同下方延出部の径方向外側の外側面よりも径方向外側に上記複数の第二のねじ止め穴が形成され、上記本体支持部材は、上記環状のガイド部材の内側面よりも径方向外側かつ上記上方延出部の径方向内側の内側面よりも径方向内側の外径とされて下面にて上記上側接触部の上端に接する金属製の上側円板部材と、この上側円板部材の下面に対して上記環状のガイド部材の内側面よりも径方向内側の上面を固定されているとともに上記環状のガイド部材の内側面よりも径方向外側かつ上記下方延出部の径方向内側の内側面よりも径方向内側の外径とされて径方向において少なくとも上記ガイド部材の内側面と上記下方延出部の内側面との間において同ガイド部材の下側に配置されて上記下側接触部の下端に接触可能な金属製の下側円板部材と、同上側円板部材の上面に固定されて上記テレビジョン本体部を支持する金属製の支持部材とを有し、同上側円板部材と同下側円板部材とで同ガイド部材における同上方延出部の内側面よりも径方向内側と同下方延出部の内側面よりも径方向内側の部分を挟み込んで同ガイド部材に対して当該ガイド部材に沿って回転動可能に支持されて上記支持部材にて上記テレビジョン本体部を支持し、上記底面板状部材は、上記金属板に上記ねじを貫通させるための複数の貫通穴とともに当該各貫通穴の周囲にプレス加工時の材料を逃がすための複数の逃がし穴を押し抜いて形成した後に当該各貫通穴に対してプレス加工により上記底面側の面に座ぐりを形成することにより周囲に材料が盛り上がらないようにした座ぐり穴および複数の逃がし穴の組み合わせを当該各貫通穴毎に有する部材とされていることを特徴とする。
【０００７】
また、より一般的な構成として、本考案は、スタンドと、キャビネットを有して所定の液晶表示面にて映像を表示するとともに同スタンドに対して当該スタンドに向かう方向を回転軸として回転動可能に支持された本体部とを具備し、上記スタンドは、金属板にねじを貫通させるための貫通穴を形成した後に当該貫通穴に対して塑性加工により座ぐりを形成した座ぐり穴を有する金属製の板状部材と、上記座ぐり穴の位置に合わせてねじ止めするために形成されたねじ止め穴を有し、環状とされるとともに当該ねじ止め穴の位置を上記座ぐり穴の位置に合わせてねじにより上記板状部材に対して上記回転軸を中心として固定されるガイド部材と、このガイド部材に対して当該ガイド部材に沿って回転動可能に支持されて上記本体部を支持する本体支持部材とを備える液晶表示装置において、上記板状部材は、上記金属板に上記ねじを貫通させるための貫通穴とともに当該貫通穴の周囲に塑性加工時の材料を逃がすための逃がし穴を形成した後に当該貫通穴に対して塑性加工により座ぐりを形成した座ぐり穴および逃がし穴を有する部材とされていることを特徴とする。
【０００８】
すなわち、スタンドに用いられる板状部材の座ぐり穴は、金属板に上記ねじを貫通させるための貫通穴とともに当該貫通穴の周囲に塑性加工時の材料を逃がすための逃がし穴を形成した後に、当該貫通穴に対して塑性加工を行うことにより形成される。すると、座ぐりを形成する塑性加工時に材料が周囲の逃がし穴に逃げるので、貫通穴の周囲に盛り上がりが生じなくなり、環状のガイド部材をねじ止めする際に精度よくねじ止めすることができる。従って、ガイド部材に微妙な歪みが生じなくなり、本体部をスムーズにスイベル回転させることが可能となる。
【０００９】
さらに、本考案は、上記スタンドは、金属板にねじを貫通させるための貫通穴を押し抜いて形成した後に当該貫通穴に対して塑性変形を伴うプレス加工により片面に座ぐりを形成した座ぐり穴を複数有する金属製の板状部材と、この板状部材における上記座ぐりが形成された面とは反対の面に対向する対向面にて上記各座ぐり穴の位置に合わせてねじ止めするために形成された複数の第一のねじ止め穴を有し、当該各第一のねじ止め穴の位置を上記各座ぐり穴の位置に合わせてねじにより上記板状部材に固定可能な対向部材と、上記各座ぐり穴の位置に合わせてねじ止めするために貫通して形成された複数の第二のねじ止め穴を有し、環状とされるとともに当該各第二のねじ止め穴の位置を上記各座ぐり穴および上記各第一のねじ止め穴の位置に合わせてねじにより上記板状部材と上記対向部材との間に挟まれて上記回転軸を中心として固定されるガイド部材と、このガイド部材に対して当該ガイド部材に沿って回転動可能に支持されて上記本体部を支持する本体支持部材とを備える液晶表示装置において、上記座ぐり穴と上記第一および第二のねじ止め穴との組み合わせの各位置は、上記環状のガイド部材の中心を対称の中心として点対称となる位置にも当該組み合わせのいずれかが存在するようにされ、上記板状部材は、上記金属板に上記ねじを貫通させるための複数の貫通穴とともに当該各貫通穴の周囲にプレス加工時の材料を逃がすための複数の逃がし穴を押し抜いて形成した後に当該各貫通穴に対してプレス加工により上記片面に座ぐりを形成した座ぐり穴および複数の逃がし穴の組み合わせを当該各貫通穴毎に有する部材とされていることを特徴とする。
【００１０】
すなわち、スタンドに用いられる板状部材の複数の座ぐり穴は、金属板に上記ねじを貫通させるための複数の貫通穴とともに当該各貫通穴の周囲に塑性変形を伴うプレス加工時の材料を逃がすための複数の逃がし穴を形成した後に、当該各貫通穴に対して同プレス加工を行うことにより形成される。これにより、貫通穴の周囲に盛り上がりが生じなくなるので、環状のガイド部材をねじ止めする際に精度よくねじ止めすることができる。従って、ガイド部材に微妙な歪みが生じなくなり、本体部をスムーズにスイベル回転させることが可能となる。
【００１１】
本考案を適用可能な液晶表示装置は、放送電波を受信して映像出力する受像装置を含む液晶テレビジョンでもよいし、受像装置を含まない表示装置からなる液晶モニタでもよい。
【００１２】
上記対向部材が上記環状のガイド部材の径方向外側に上記対向面にてねじ止めするために形成された複数の第三のねじ止め穴を有する場合、上記板状部材は、さらに、上記各第三のねじ止め穴の位置に合わせて上記金属板にねじを貫通させるための複数の貫通穴とともに当該各貫通穴の周囲にプレス加工時の材料を逃がすための複数の逃がし穴を押し抜いて形成した後に当該各貫通穴に対してプレス加工により上記片面に座ぐりを形成した座ぐり穴および複数の逃がし穴の組み合わせを当該各貫通穴毎に有する部材とされてもよい。環状のガイド部材を直接ねじ止めするための座ぐり穴ではなくても、ガイド部材を挟み込む板状部材と対向部材とのみをねじ止めするための座ぐり穴を形成する際に貫通穴の周囲に盛り上がりが生じると、ガイド部材に微妙な歪みが生じることがある。本構成により、ガイド部材をねじ止めする際にさらに精度よくねじ止めすることができる。従って、さらに確実にガイド部材に微妙な歪みが生じなくなり、本体部をさらにスムーズにスイベル回転させることが可能となる。
【００１３】
上記環状のガイド部材は、樹脂製とされ、水平に配置されて上記回転軸を鉛直方向の向きにさせており、径方向内側の内側面よりも径方向外側かつ径方向外側の外側面よりも径方向内側の位置で全周にわたって上面から上方に延出した上方延出部が形成され、当該内側面よりも径方向外側かつ当該外側面よりも径方向内側の位置で全周にわたって下面から下方に延出した下方延出部が形成されるとともに、同上方延出部の径方向外側の外側面よりも径方向外側かつ同下方延出部の径方向外側の外側面よりも径方向外側に上記複数の第二のねじ止め穴が形成され、上記本体支持部材は、上記環状のガイド部材の内側面よりも径方向外側かつ上記上方延出部の径方向内側の内側面よりも径方向内側の外径とされて同上方延出部の内側面よりも径方向内側において同ガイド部材の上面の少なくとも一部に接する金属製の上側円板部と、この上側円板部に固定されているとともに上記環状のガイド部材の内側面よりも径方向外側かつ上記下方延出部の径方向内側の内側面よりも径方向内側の外径とされて径方向において少なくとも同ガイド部材の内側面と同下方延出部の内側面との間において同ガイド部材の下側に配置される金属製の下側円板部と、同上側円板部の上面に固定されて上記本体部を支持する金属製の支持部とを有し、同上側円板部と同下側円板部とで同ガイド部材における同上方延出部の内側面よりも径方向内側と同下方延出部の内側面よりも径方向内側の部分を挟み込んで同ガイド部材に対して当該ガイド部材に沿って回転動可能に支持されて上記支持部にて上記本体部を支持する構成としてもよい。
【００１４】
環状のガイド部材の上面における上方延出部から径方向内側に金属製の上側円板部が収容され、同ガイド部材の下面における下方延出部から径方向内側に金属製の下側円板部が収容され、金属製の本体支持部材がこれら上側円板部と下側円板部とで環状のガイド部材の内側面側を挟み込んでガイド部材に対して回転動可能に支持されるので、よりスムーズに本体支持部材に支持された本体部をスイベル回転させることが可能となる。
【００１５】
上記環状のガイド部材には、径方向において本ガイド部材の内側面と上記上方延出部の内側面との間で全周にわたって断続的に上面から上方に延出して上端にて上記上側円板部の下面に接する上側接触部が形成されている構成としてもよい。固定されたガイド部材と回転動する上側円板部との接触面積が小さくされるので、本体部をさらにスムーズにスイベル回転させることが可能となる。
【００１６】
また、上記環状のガイド部材には、径方向において本ガイド部材の内側面と上記下方延出部の内側面との間で全周にわたって下面から下方に延出して下端にて上記下側円板部の下面に接する下側接触部が形成されている構成としてもよい。固定されたガイド部材と回転動する下側円板部との接触面積が小さくされるので、本体部をさらにスムーズにスイベル回転させることが可能となる。
【００１７】
上記下側円板部には、本下側円板部の外周に接する位置から上方に向かって突出した第一および第二の上方突出部が所定の第一の回転角度をおいて形成され、上記環状のガイド部材には、上記下方延出部から径方向内側に向かって下面から下方に延出した第一および第二のリブが上記第一の回転角度よりも大きい第二の回転角度をおいて形成され、上記本体支持部材は、上記第一および第二の上方突出部が上記第一および第二のリブの間に挿入されて上記環状のガイド部材に対して回転動可能に支持される構成としてもよい。簡易な構成で確実にスイベル回転を所定範囲内に規制することができる。
【００１８】
上記逃がし穴は、上記各貫通穴の周部から当該貫通穴の直径の１／５〜１倍の距離をおいて複数形成されている構成としてもよい。この距離を貫通穴の直径の１／５倍以上にすると後加工時に貫通穴の周部と逃がし穴の周部との間の距離が十分に確保されて座ぐり穴を十分に強固とすることができ、直径の１倍以下にすると確実に貫通穴周囲の材料が逃がし穴に逃げて材料の盛り上がりを防止することできる。これにより、ガイド部材をねじ止めする際にさらに精度よくねじ止めすることができる。従って、さらに確実にガイド部材に微妙な歪みが生じなくなり、本体部をさらにスムーズにスイベル回転させることが可能となる。
【００１９】
上記各貫通穴毎に当該貫通穴の周囲に形成する複数の逃がし穴は、上記貫通穴の直径の１／４〜３／４倍の径とされている構成としてもよい。逃がし穴の径を貫通穴の直径の１／４倍以上にすると確実に貫通穴周囲の材料が逃がし穴に逃げて材料の盛り上がりを防止することでき、直径の３／４倍以下にすると貫通穴の周囲の材料が十分に確保されて座ぐり穴を十分に強固とすることができる。これにより、ガイド部材をねじ止めする際にさらに精度よくねじ止めすることができる。従って、さらに確実にガイド部材に微妙な歪みが生じなくなり、本体部をさらにスムーズにスイベル回転させることが可能となる。
【００２０】
上記各貫通穴毎に当該貫通穴の周囲に形成する複数の逃がし穴について隣り合う逃がし穴間の少なくとも一部は、当該貫通穴の直径の１／５〜１倍の距離をおいて形成されている構成としてもよい。この距離を貫通穴の直径の１／５倍以上にすると後加工時に逃がし穴間の距離が十分に確保されて座ぐり穴を十分に強固とすることができ、直径の１倍以下にすると確実に貫通穴周囲の材料が逃がし穴に逃げて材料の盛り上がりを防止することできる。これにより、ガイド部材をねじ止めする際にさらに精度よくねじ止めすることができる。従って、さらに確実にガイド部材に微妙な歪みが生じなくなり、本体部をさらにスムーズにスイベル回転させることが可能となる。
【考案の効果】
【００２１】
請求項１にかかる考案によれば、テレビジョン本体部を非常にスムーズにスイベル回転させることが可能となる。
請求項２、請求項３にかかる考案では、本体部をスムーズにスイベル回転させることが可能となる。
請求項４にかかる考案では、本体部をさらにスムーズにスイベル回転させることが可能となる。
【００２２】
請求項５にかかる考案では、よりスムーズに本体支持部材に支持された本体部をスイベル回転させることが可能となる。
請求項６、請求項７、請求項９〜請求項１１にかかる考案では、本体部をさらにスムーズにスイベル回転させることが可能となる。
請求項８にかかる考案では、簡易な構成で確実にスイベル回転を所定範囲内に規制することができ、本体部が必要以上に回転しなくなるので利便性を向上させることができる。
【考案を実施するための最良の形態】
【００２３】
以下、下記の順序に従って本考案の実施形態を説明する。
（１）液晶表示装置の説明：
（２）液晶表示装置の作用：
（３）変形例：
【００２４】
（１）液晶表示装置の説明：
図１は、本考案の一実施形態にかかる液晶表示装置である液晶テレビジョン（以下、ＴＶ）１００を正面から見て示す正面図である。なお、図１を基準として上下左右の関係を説明する。図２は本ＴＶを背面から見て示す背面図であり、図３は本ＴＶを右側面から見て示す右側面図である。図４は、スイベル回転機構を有するスタンド３０を分解して示す分解斜視図である。図５は底面板状部材４０を底面から見て示す底面図であり、図６は座ぐり穴４２および複数の逃がし穴４４の組み合わせを上面から見て示す要部上面図である。図７は、上部カバー５０を底面から見て示す底面図である。図８はガイド部材６０を上面から見て示す上面図であり、図９は同ガイド部材を底面から見て示す底面図であり、図１０は図８のＡ１−Ａ１の位置から見て示す要部端面図である。図１１は下側円板部材７４を上面から見て示す上面図であり、図１２はガイド部材６０を挟んで上側円板部材７２と下側円板部材７４とを互いに固定した状態で図１１のＡ２−Ａ２の位置から見て示す要部断面図であり、図１３は下側円板部材の上方突出部７４ａ，ｂを正面から見て示す要部正面図である。図１４はチルト機構が形成されたブラケット７６ａ，ｂとワッシャ状部材７６ｃとを組み付けた状態で示す要部右側面図である。なお、図示のチルト機構は右側のチルト機構であり、左右対称のチルト機構が左側にも設けられている。図１５は、右側のチルト機構を構成する両ブラケットとワッシャ状部材とを分解して示す右側面図である。
【００２５】
本ＴＶ１００は、スタンド（土台）３０と、このスタンドに対してスイベル回転動作可能かつチルト動作可能に支持されたテレビジョン本体部（本体部）１０とを備えている。本体部１０は、樹脂製のキャビネット（筐体）１２を有している。同本体部は、放送信号を受信する受信部や、制御回路が形成されたプリント基板や、所定の液晶表示面１４を有する液晶表示回路等を備えており、当該液晶表示面に合わせて前面に開口が形成されたキャビネット１２に同受信部や同プリント基板等が収容されている。そして、同基板に実装された制御回路の制御により、放送電波を受信したり外部入力端子から所定のフォーマットの信号を入力したりして、液晶表示面にて映像を表示し、音声出力部にて音声を出力する。キャビネット１２は、液晶表示回路の形状に合わせて、左右方向の幅が上下方向の高さよりも長く、前後方向が上下左右方向よりも非常に薄い略箱形とされている。本体部１０は、液晶表示面１４にて映像を表示するとともに、スタンド３０に対して鉛直方向（本体部１０からスタンド３０に向かう方向）を回転軸８０として回転動可能に支持されている。
【００２６】
図４に示すように、スタンド３０は、本スタンドの底面に配置される金属製（例えばステンレス製）の底面板状部材（板状部材）４０と、ねじにより底面板状部材４０に固定可能な樹脂製の上部カバー（対向部材）５０と、環状とされた樹脂製のガイド部材６０と、このガイド部材６０に対して当該ガイド部材に沿って回転動可能に支持されて本体部１０を支持する金属製の本体支持部材７０とを備えている。
底面板状部材４０は、板状とされて水平に配置されるとともに、前後方向よりも左右方向の方が長くされている。同底面板状部材は、金属板（例えばステンレス板）にねじ３１を貫通させるための貫通穴４２ａを押し抜いて形成した後に、当該貫通穴に対して塑性変形を伴うプレス加工（塑性加工）により底面側の面にテーパ状の座ぐり４２ｂを形成した座ぐり穴４２を複数有している。具体的には、下側円板部材７４の外径よりも若干小さい直径で形成された開口４０ａの周囲であって近傍に四つの座ぐり穴４２Ａが形成されるとともに、底面板状部材の四隅近傍にも四つの座ぐり穴４２Ｂが形成されている。
【００２７】
上部カバー５０は、樹脂を射出成形して形成され、下面（板状部材４０における座ぐり４２ｂが形成された底面とは反対の上面に対向する対向面）にて、開口４０ａ近傍の各座ぐり穴４２Ａの位置に合わせてねじ止めするために形成された四つの第一のねじ止め穴５２を有するとともに、底面板状部材の四隅近傍の各座ぐり穴４２Ｂの位置に合わせてねじ止めするために形成された四つの第三のねじ止め穴５４を有している。各第三のねじ止め穴５４は、環状のガイド部材６０の径方向外側において底面にてねじ止めするために形成されている。そして、各第一のねじ止め穴５２の位置を各座ぐり穴４２Ａの位置に合わせるとともに各第三のねじ止め穴５４の位置を各座ぐり穴４２Ｂの位置に合わせて、上部カバー５０をねじ３１により底面板状部材４０に固定可能とされている。
【００２８】
環状のガイド部材６０は、例えばアルキルベンゼンスルホン酸樹脂（ＡＢＳ樹脂）に強度を向上させるためポリカーボネート（ＰＣ）を添加した樹脂を射出成形して形成され、各座ぐり穴４２Ａの位置に合わせてねじ止めするために貫通して形成された四つの第二のねじ止め穴６１を有している。同ガイド部材６０は、各第二のねじ止め穴６１の位置を底面板状部材の各座ぐり穴４２Ａおよび上部カバーの各第一のねじ止め穴５２の位置に合わせてねじ３１により底面板状部材４０と上部カバー５０との間に挟まれて固定されるようになっている。このようにして固定されたガイド部材６０は、鉛直方向とされた回転軸８０を中心として水平とされる。
ここで、上記座ぐり穴４２Ａと上記第一および第二のねじ止め穴５２，６１との組み合わせの各位置は、環状のガイド部材６０の中心（回転軸８０の位置）を対称の中心として点対称となる位置にも当該組み合わせのいずれかが存在するようにされている。図８を参照して説明すると、座ぐり穴６１ａと座ぐり穴６１ｃとが回転軸８０を中心として点対称の位置関係とされ、座ぐり穴６１ｂと座ぐり穴６１ｄとが回転軸８０を中心として点対称の位置関係とされている。このように、座ぐり穴４２Ａとねじ止め穴５２，６１との組み合わせの各位置を点対称の関係にすることによって、ねじ止めによるガイド部材の歪みを少なくさせることができ、本体部をよりスムーズにスイベル回転させることが可能となる。
【００２９】
ガイド部材６０には、径方向内側の内側面６０ａよりも径方向外側かつ径方向外側の外側面６０ｂよりも径方向内側の位置で全周にわたって上面から上方に延出した上方延出部６２が形成され、当該内側面６０ａよりも径方向外側かつ当該外側面６０ｂよりも径方向内側の位置で全周にわたって下面から下方に延出した下方延出部６３が形成されている。また、径方向において本ガイド部材の内側面６０ａと上方延出部６２の内側面６２ａとの間で全周にわたって断続的に上面から上方に延出した上側接触部６４が形成され、径方向において本ガイド部材の内側面６０ａと下方延出部６３の内側面６３ａとの間で全周にわたって下面から下方に延出した下側接触部６５が形成されている。そして、上方延出部６２の径方向外側の外側面６２ｂよりも径方向外側かつ下方延出部６３の径方向外側の外側面６３ｂよりも径方向外側に各第二のねじ止め穴６１が形成されている。さらに、ガイド部材６０には、下方延出部６３から径方向内側に向かって下面から下方に延出した第一のリブ６６ａと第二のリブ６６ｂが所定の回転角度（第二の回転角度）θ２をおいて形成されている。
【００３０】
本体支持部材７０は、金属製（例えばステンレス製）の上側円板部材（上側円板部）７２と、金属製（例えばステンレス製）の下側円板部材（下側円板部）７４と、金属製（例えばステンレス製）の支持部材（支持部）７６とを有している。
上側円板部材７２は、環状のガイド部材の内側面６０ａよりも径方向外側かつ上方延出部６２の径方向内側の内側面６２ａよりも径方向内側の外径とされた円形の板状部材とされている。上側円板部材７２と下側円板部材７４とには同じ位置に複数のねじ止め穴が形成されており、上側円板部材７２の下面と下側円板部材７４の上面における環状のガイド部材の内側面６０ａよりも径方向内側の部分とを接触させてねじ３１により互いに固定可能とされている。また、上側円板部材７２と支持部材７６とにも同じ位置に複数のねじ止め穴が形成されており、上側円板部材７２の上面と支持部材７６の下面とを接触させてねじ３１により互いに固定可能とされている。上側円板部材７２は、固定された状態で回転軸８０を中心として水平に配置され、下面がガイド部材の上側接触部６４の上端に接するようにされている。これにより、固定されたガイド部材と回転動する上側円板部材との接触面積が小さくされるので、本体部をよりスムーズにスイベル回転させることが可能となる。
【００３１】
下側円板部材７４は、環状のガイド部材の内側面６０ａよりも径方向外側かつガイド部材の下方延出部６３の径方向内側の内側面６３ａよりも径方向内側の外径とされた円形の板状部材とされている。同下側円板部材は、上側円板部材７２の下面に対して環状のガイド部材の内側面６０ａよりも径方向内側の上面を固定される。下側円板部材７４は、固定された状態で回転軸８０を中心として水平に配置され、径方向において少なくともガイド部材の内側面６０ａと下方延出部の内側面６３ａとの間においてガイド部材６０の下側に配置されて上面が下側接触部６５の下端に接触可能とされている。これにより、固定されたガイド部材と回転動する下側円板部材との接触面積が小さくされるので、本体部をよりスムーズにスイベル回転させることが可能となる。
【００３２】
支持部材７６は、各部７６ａ〜ｅを備え、上側円板部材７２の上面に固定されて本体部１０を支持する。スタンド側ブラケット７６ａは水平面とされた平板状の下側板金部７６ａ１と当該下側板金部の後側縁部より前方から斜め上方に向かって延出した上側板金部７６ａ２とを備えており、化粧カバー３０ｂが下部にて下側板金部７６ａ１を後側から前方向に挿入させてブラケット７６ａに取り付けられる。次に、円板状の下側円板部材７４に、ブラケット７６ａの下側板金部７６ａ１の下面、当該下側板金部７６ａ１の後側の箇所に化粧カバー３０ａ、当該下側板金部７６ａ１の前側の箇所に化粧カバー３０ｃがねじで固定される。両円板部材７２，７４に挟まれたガイド部材６０は、底面板状部材の開口４０ａの位置に合わせて底面板状部材４０上に載置される。この状態で、上側円板部材７２の直径より大きくガイド部材６０の外径より小さくブラケット７６ａをくぐらせることの可能な直径とされた円形の開口５０ａが形成された上部カバー５０がガイド部材６０に載置され、複数のねじにて底面板状部材４０に固定される。これにより、円板部材７２，７４に挟まれたガイド部材６０が底面板状部材４０と上部カバー５０との間で回転動可能に保持される。
【００３３】
ボルト７６ｄとナット７６ｅは、回転軸７６ｚ上で両ブラケット７６ａ，ｂに対して相対的に回転可能にさせて取り付けられる。スタンド側ブラケットの上側板金部７６ａ２には、前後方向に向けた垂直面とされた垂直面部が形成され、当該垂直面部にボルト７６ｄを貫通させる貫通穴７６ａ３が形成されている。また、同垂直面部には、上方から若干後方向に向かって突出した第一の凸部７６ａ５と後方に向かって突出した第二の凸部７６ａ６とが形成され、同第一の凸部から同第二の凸部にかけての背面側が円弧状に切り欠かれて溝部７６ａ４が形成されている。
本体側ブラケット７６ｂには、前後方向に向けた垂直面とされた垂直面部が形成され、当該垂直面部にボルト７６ｄを貫通させる貫通穴７６ｂ１が形成されている。また、同垂直面部には、後部からスタンド側ブラケット７６ａ方向に折り曲げられることにより回転軸７６ｚの方向であって同スタンド側ブラケット方向に突出した爪部７６ｂ２が形成されている。この爪部は、ワッシャ状部材７６ｃの貫通穴７６ｃ１に挿入される。
両ブラケット７６ａ，ｂは、ボルト７６ｄを貫通穴７６ａ３，７６ｂ１に貫通させて回転軸７６ｚの周りにおいて回転軸７６ｚの方向に並んで設けられ、互いに回転軸７６ｚを中心として相対的に回転動可能に取り付けられている。ワッシャ状部材７６ｃは、両ブラケット７６ａ，ｂに挟まれて取り付けられる。
【００３４】
スタンド側ブラケットの溝部７６ａ４は、本体側ブラケットの爪部７６ｂ２を挿入して回転軸７６ｚを中心とした各回転方向Ｄ１，Ｄ２で爪部７６ｂ２と当接することにより所定の回転範囲内で爪部７６ｂ２の回転動を規制する。本体部１０を前傾方向Ｄ１にチルト回転させて爪部７６ｂ２が第一の凸部７６ａ５に突き当たったとき、爪部７６ｂ２および本体部１０は図１４に示す所定の最前傾位置となる。本体部１０を後傾方向Ｄ２にチルト回転させて爪部７６ｂ２が第二の凸部７６ａ６に突き当たったとき、爪部７６ｂ２および本体部１０は所定の最後傾位置となる。
【００３５】
本体支持部材７０は、上側円板部材７２と下側円板部材７４とでガイド部材６０における上方延出部の内側面６２ａよりも径方向内側と下方延出部の内側面６３ａよりも径方向内側の部分を挟み込んでガイド部材６０に対して当該ガイド部材に沿って回転動可能に支持され、支持部材７６にて本体部１０を支持する。これにより、本体部１０は支持部材７６に対してチルト動作可能かつスイベル回転動作可能に支持される。
環状のガイド部材の上面における上方延出部から径方向内側に金属製の上側円板部が収容され、同ガイド部材の下面における下方延出部から径方向内側に金属製の下側円板部が収容され、金属製の本体支持部材がこれら上側円板部と下側円板部とで環状のガイド部材の内側面側を挟み込んでガイド部材に対して回転動可能に支持されるので、本体部をよりスムーズにスイベル回転させることが可能となる。
【００３６】
なお、下側円板部材７４には、本下側円板部材の外周に接する位置から上方に向かって突出した第一の上方突出部７４ａと第二の上方突出部７４ｂとが回転軸８０を中心とした所定の第一の回転角度θ１をおいて形成されている。ここで、ガイド部材６０に形成されたリブ６６ａ，ｂのなす角度θ２はθ１より大きくされており、上方突出部７４ａ，ｂがリブ６６ａ，ｂの間に挿入可能となっている。そして、本体支持部材７０は、一対の上方突出部７４ａ，ｂが一対のリブ６６ａ，ｂの間に挿入されて、環状のガイド部材６０に対して回転動可能に支持される。これにより、簡易な構成で確実にスイベル回転を所定範囲内に規制することができる。
【００３７】
図６に示す底面板状部材におけるガイド部材固定用の座ぐり穴４２Ａは上部カバーの第一のねじ止め穴５２とガイド部材のねじ止め穴６１の組み合わせに対応する位置に形成され、上部カバーのみ固定用の座ぐり穴４２Ｂは上部カバーの第三のねじ止め穴５４に対応する位置に形成される。逃がし穴４４は各座ぐり穴４２Ｂの周囲では貫通穴４２ａを中心として同心円状に６個形成され、各座ぐり穴４２Ａの周囲では開口４０ａが存在するために貫通穴４２ａを中心として同心円状に５個形成される。
【００３８】
底面板状部材４０の座ぐり穴４２および逃がし穴４４は、以下のようにして形成される。
図１６に示すように、まず、ポンチ９１とダイス９２を用いて、底面板状部材４０とする金属板にねじを貫通させるための複数の貫通穴４２ａとともに当該各貫通穴４２ａの周囲に塑性加工であるプレス加工（後加工）時の材料を逃がすための複数の逃がし穴４４をプレス加工（前加工）により押し抜いて形成する。なお、同図では上が底面側であり、下が上面側である。次に、別のポンチ９３とダイス９４を用いて、各貫通穴４２ａに対して塑性変形を伴うプレス加工（後加工）により底面側の面に座ぐり４２ｂを形成する。すると、周囲に材料が盛り上がらないようにした座ぐり穴４２および複数の逃がし穴４４が形成される。すなわち、底面板状部材４０は、金属板にねじを貫通させるための複数の貫通穴４２ａとともに当該各貫通穴４２ａの周囲にプレス加工時の材料を逃がすための複数の逃がし穴４４を押し抜いて形成した後に当該各貫通穴４２ａに対してプレス加工により底面側の面に座ぐり４２ｂを形成することにより周囲に材料が盛り上がらないようにした座ぐり穴４２および複数の逃がし穴４４の組み合わせを当該各貫通穴４２ａ毎に有する部材とされる。
環状のガイド部材６０は樹脂製であるため、複数箇所で行われるねじ止めの度合が異なると歪みが生じてしまう。逃がし穴を設けていなかった従来では、図１８に示すように座ぐり穴の周囲で材料の盛り上がりが生じていたため、ねじ止めの度合にばらつきが生じ、本体部をスムーズにスイベル回転させることができないことがあった。本考案によると、貫通穴４２ａの周囲に材料の盛り上がりが生じなくなるので、樹脂製でありながら環状のガイド部材６０をねじ止めする際に精度よくねじ止めすることができる。従って、ガイド部材６０に微妙な歪みが生じなくなり、本体部１０をスムーズにスイベル回転させることが可能となる。
【００３９】
なお、逃がし穴４４を各貫通穴４２ａの周部から当該貫通穴４２ａの直径ｄ１の１／５〜１倍の距離ｄ２をおいて複数形成すると、ガイド部材をねじ止めする際にさらに精度よくねじ止めすることができ、本体部をよりスムーズにスイベル回転させることが可能となる。同距離ｄ２をｄ１×１／５以上にすると後加工時に貫通穴の周部と逃がし穴の周部との間の距離が十分に確保されて座ぐり穴を十分に強固とすることができ、ｄ１以下にすると確実に貫通穴周囲の材料の盛り上がりを防止することできるためである。
また、各貫通穴４２ａ毎に当該貫通穴４２ａの周囲に形成する複数の逃がし穴４４を貫通穴の直径ｄ１の１／４〜３／４倍の径（短径ｄ３および長径ｄ４）とすると、ガイド部材をねじ止めする際にさらに精度よくねじ止めすることができ、本体部をよりスムーズにスイベル回転させることが可能となる。逃がし穴の径ｄ３，ｄ４をｄ１×１／４以上にすると確実に貫通穴周囲の材料の盛り上がりを防止することでき、ｄ１×３／４以下にすると貫通穴の周囲の材料が十分に確保されて座ぐり穴を十分に強固とすることができるためである。
さらに、各貫通穴４２ａ毎に当該貫通穴４２ａの周囲に形成する複数の逃がし穴４４について隣り合う逃がし穴４４間の少なくとも一部を当該貫通穴の直径ｄ１の１／５〜１倍の距離ｄ５をおいて形成すると、ガイド部材をねじ止めする際にさらに精度よくねじ止めすることができ、本体部をよりスムーズにスイベル回転させることが可能となる。同距離ｄ５をｄ１×１／５以上にすると後加工時に逃がし穴間の距離が十分に確保されて座ぐり穴を十分に強固とすることができ、ｄ１以下にすると確実に貫通穴周囲の材料の盛り上がりを防止することできるためである。
【００４０】
（２）液晶表示装置の作用：
底面板状部材４０を形成する際、図１６に示すように、まず、ポンチ９１とダイス９２により、金属板に複数の貫通穴４２ａと、当該各貫通穴４２ａの周囲において複数の逃がし穴４４とが、プレス加工（前加工）により押し抜いて形成される。次に、別のポンチ９３とダイス９４により、各貫通穴４２ａに対してプレス加工（後加工）により底面側の面に座ぐり４２ｂが形成される。このとき、材料が周囲の逃がし穴に逃げるので、貫通穴の周囲に盛り上がりが生じなくなり、環状のガイド部材をねじ止めする際に精度よくねじ止めすることができる。これにより、樹脂製でありながら環状のガイド部材６０をねじ止めする際に精度よくねじ止めすることができるので、ガイド部材に微妙な歪みが生じなくなり、本体部をスムーズにスイベル回転させることが可能となる。
【００４１】
また、環状のガイド部材を直接ねじ止めするための座ぐり穴４２Ａ以外に、ガイド部材の径方向外側に形成される座ぐり穴４２Ｂについても貫通穴の周囲に逃がし穴を押し抜いておくことによって、当該座ぐり穴４２Ｂの周囲についても材料の盛り上がりが生じなくなる。ガイド部材を挟み込む底面板状部材と上部カバーとのみをねじ止めするための座ぐり穴を形成する際に貫通穴の周囲に盛り上がりが生じると、ガイド部材に微妙な歪みが生じることがあるが、本構成により、さらに精度よくガイド部材をねじ止めすることができる。従って、さらに確実にガイド部材に微妙な歪みが生じなくなり、本体部をさらにスムーズにスイベル回転させることが可能となる。
さらに、環状のガイド部材の上面における上方延出部から径方向内側に金属製の上側円板部材が収容され、同ガイド部材の下面における下方延出部から径方向内側に金属製の下側円板部材が収容され、金属製の本体支持部材が両円板部材でガイド部材の内側面側を挟み込んでガイド部材に対して回転動可能に支持される。また、固定されたガイド部材と回転動する両円板部材との接触面積が小さくされる。従って、よりスムーズに本体支持部材に支持された本体部をスイベル回転させることが可能となる。
【００４２】
（３）変形例：
ところで、本考案は、様々な変形例が考えられる。
液晶テレビジョンは、画面が２５インチサイズ程度以下の小型〜中型であると軽量であるため容易にスイベルできて好適であるものの、中型〜大型であってもよい。また、ビデオデッキが一体化された液晶テレビジョン、ＤＶＤ再生装置が一体化された液晶テレビジョン等でもよい。また、液晶テレビジョン以外にも、放送電波を受信するチューナ（受信装置）を含まない液晶ディスプレイにも本考案を適用可能である。むろん、チューナを含む液晶ディスプレイにも本考案を適用可能である。
【００４３】
図１７に示すように、貫通穴の周囲に設ける逃がし穴は様々な個数および形状とすることができる。図の上段に示すように、貫通穴４２ａの周囲において当該貫通穴を中心として円弧状の形状とされた逃がし穴４４ａを３個形成してもよい。図の中段に示すように、貫通穴４２ａの周囲において当該貫通穴を中心として円弧状の形状とされた逃がし穴４４ｂを４個形成してもよい。図の下段に示すように、８個の円形の逃がし穴４４ｃを貫通穴４２ａの周囲において当該貫通穴を中心として同心円状に形成してもよい。貫通穴の周囲に複数の逃がし穴を設けるとより確実に貫通穴周囲の材料が逃がし穴に逃げて材料の盛り上がりを防止することできる点で好適であるものの、貫通穴の周囲に単一の逃がし穴を設ける構成としても材料の盛り上がりを防止する効果が得られ、本体部をスムーズにスイベル回転させることを可能にさせる効果が得られる。
また、ガイド部材をねじ止めする座ぐり穴のみ貫通穴の周囲に逃がし穴を設けても、本体部をスムーズにスイベル回転させることを可能にさせる効果が得られる。
以上の各種変形例においても、同様の作用、効果が得られ、本体部をスムーズにスイベル回転させることが可能となる。
【図面の簡単な説明】
【００４４】
【図１】液晶テレビジョン（液晶表示装置）の正面図である。
【図２】液晶テレビジョンの背面図である。
【図３】液晶テレビジョンの右側面図である。
【図４】スイベル回転機構を有するスタンドを示す分解斜視図である。
【図５】底面板状部材を底面から見て示す底面図である。
【図６】座ぐり穴および逃がし穴を示す要部上面図である
【図７】上部カバーを示す底面図である。
【図８】ガイド部材を上面から見て示す上面図である。
【図９】ガイド部材を底面から見て示す底面図である。
【図１０】図８のＡ１−Ａ１の位置から見て示す要部端面図である。
【図１１】下側円板部材を示す上面図である。
【図１２】上側円板部材と下側円板部材とを互いに固定した状態で図１１のＡ２−Ａ２の位置から見て示す要部断面図である。
【図１３】下側円板部材の上方突出部を示す要部正面図である。
【図１４】チルト機構を示す右側面図である。
【図１５】ブラケットとワッシャ状部材とを分解して示す右側面図である。
【図１６】座ぐり穴および逃がし穴を形成する様子を示す要部断面図である。
【図１７】逃がし穴の変形例を示す要部上面図である。
【図１８】従来の座ぐり穴を形成する様子を示す要部断面図である。
【符号の説明】
【００４５】
１０…テレビジョン本体部（本体部）
１２…樹脂製のキャビネット
１４…液晶表示面
３０…スタンド
４０…金属製の底面板状部材（板状部材）
４２，４２Ａ，４２Ｂ…座ぐり穴
４２ａ…貫通穴
４２ｂ…座ぐり
４４…逃がし穴
５０…樹脂製の上部カバー（対向部材）
５２…第一のねじ止め穴
５４…第三のねじ止め穴
６０…環状のガイド部材
６１…第二のねじ止め穴
６２…上方延出部
６３…下方延出部
６４…上側接触部
６５…下側接触部
６６ａ…第一のリブ
６６ｂ…第二のリブ
７０…金属製の本体支持部材
７２…金属製の上側円板部材（上側円板部）
７４…金属製の下側円板部材（下側円板部）
７４ａ…第一の上方突出部
７４ｂ…第二の上方突出部
７６…金属製の支持部材（支持部）
８０…所定の回転軸
１００…液晶テレビジョン（液晶表示装置）
【図１】
0003106184.tif 000003
【図２】
0003106184.tif 000004
【図３】
0003106184.tif 000005
【図４】
0003106184.tif 000006
【図５】
0003106184.tif 000007
【図６】
0003106184.tif 000008
【図７】
0003106184.tif 000009
【図８】
0003106184.tif 000010
【図９】
0003106184.tif 000011
【図１０】
0003106184.tif 000012
【図１１】
0003106184.tif 000013
【図１２】
0003106184.tif 000014
【図１３】
0003106184.tif 000015
【図１４】
0003106184.tif 000016
【図１５】
0003106184.tif 000017
【図１６】
0003106184.tif 000018
【図１７】
0003106184.tif 000019
【図１８】
0003106184.tif 000020